(57)【特許請求の範囲】
【請求項１】
複数のキャリアを用いたマルチキャリアによる無線基地局と無線通信端末との通信を制御する通信制御方法であって、
前記無線通信端末が、１つの無線基地局から前記複数のキャリアを受信するステップと、
前記無線通信端末が、他の無線基地局にハンドオフするか否かを決定するステップと、
前記無線通信端末が、前記他の無線基地局にハンドオフする場合、前記１つの無線基地局との間の前記複数のキャリアを順次切断するステップと、
前記複数のキャリアが全て切断されてから、前記無線通信端末が、前記他の無線基地局にハンドオフするステップと、
を有することを特徴とする通信制御方法。
【請求項２】
前記無線通信端末が、前記ハンドオフの際に、前記他の無線基地局に対して、前記通信に用いる前記キャリアを順次追加するステップを更に有することを特徴とする請求項１に記載の通信制御方法。
【請求項３】
複数のキャリアを用いたマルチキャリアによって無線基地局と通信する無線通信端末であって、
１つの無線基地局から前記複数のキャリアを受信する受信部と、
他の無線基地局にハンドオフするか否かを決定するハンドオフ決定部と、
前記他の無線基地局にハンドオフする場合、前記１つの無線基地局との間の前記複数のキャリアを順次切断するキャリア切断部と、
前記複数のキャリアが全て切断されてから、前記他の無線基地局にハンドオフするハンドオフ制御部と、
を具備することを特徴とする無線通信端末。
【請求項４】
前記ハンドオフの際に、前記他の無線基地局に対して、前記通信に用いる前記キャリアを順次追加するキャリア設定部を更に具備することを特徴とする請求項３に記載の無線通信端末。
【請求項５】
複数のキャリアを用いたマルチキャリアによって無線通信端末と通信する無線基地局であって、
前記無線通信端末から、該無線通信端末が他の無線基地局にハンドオフすることを示すハンドオフ通知を受信する受信部と、
前記ハンドオフ通知を受信した場合、前記複数のキャリアを順次、全て切断するキャリア切断部と、
を具備することを特徴とする無線基地局。
【発明の詳細な説明】
【技術分野】
【０００１】
本発明は、複数のキャリアを用いたマルチキャリアによる通信制御方法、無線通信端末及び無線基地局に関する。
【背景技術】
【０００２】
符号分割多元接続（ＣＤＭＡ）を用いた移動体通信ネットワークでは、高速なデータ通信を実現する1xEV-DO（1x evolution - data only）が提供されている（例えば、特許文献１）。
【０００３】
1xEV-DOでは、一つのキャリアが一つのユーザ（無線通信端末）に割り当てられる。また、複数のキャリアを一つのユーザに割り当てることによって、さらに高速なデータ通信を実現する、いわゆる“マルチキャリア”（nxEV-DO）の導入も検討されている。
【０００４】
また、マルチキャリアは、下記の特許文献２に開示されている。
【０００５】
図１０、図１１を参照して、かかるマルチキャリアが適用されたマルチキャリア移動体通信システムについて説明する。なお、以下本明細書において、データ通信とは、パケット通信を示すものとする。
【０００６】
図１０に示すように、マルチキャリア移動体通信システムは、１つのキャリアに対して１つの基地局２００（無線基地局）が接続されるように構成されている。すなわち、移動端末１００（無線通信端末）は、複数のキャリア（例えば、１５キャリア）を用いて、複数の基地局２００＃１〜＃ｎ（例えば、ｎ＝１５）と接続する。
【０００７】
また、図１１に示すように、マルチキャリア移動体通信システムでは、パケット制御装置６００が、下り方向においてネットワーク５００からの下りパケットを基地局２００＃１〜＃ｎ（キャリア１ｘ〜１５ｘ）に分散させて割り当て、上り方向において基地局２００＃１〜＃ｎ（キャリア１ｘ〜１５ｘ）からの上りパケットを結合する等、基地局２００＃１〜＃ｎに対するパケット制御を行う。
【０００８】
かかるパケット制御によって、無線通信端末は、複数の無線基地局と接続し、複数のキャリアを用いてパケット通信を行うことが可能となる。
【特許文献１】特開２００２−３００６４４号公報
【特許文献２】特開２００４−７２４５９号公報
【発明の開示】
【発明が解決しようとする課題】
【０００９】
しかしながら、上述のマルチキャリア移動体通信システムにおけるパケット通信において、無線通信端末がハンドオフする場合、無線通信端末が、複数の無線基地局と接続し、該複数の無線基地局に対して、当該無線通信端末の用いる各キャリアを同時に切断したり設定したりすることから、ハンドオフ制御による処理負荷が増大するという問題があった。
【００１０】
そこで、本発明は、以上の点に鑑みてなされたもので、マルチキャリアによる移動体通信システムにおいて、ハンドオフ時の処理負荷を抑制する通信制御方法、無線通信端末及び無線基地局を提供することを目的とする。
【課題を解決するための手段】
【００１１】
本発明の第１の特徴は、複数のキャリアを用いたマルチキャリアによる無線基地局と無線通信端末との通信を制御する通信制御方法であって、前記無線通信端末が、１つの無線基地局から前記複数のキャリアを受信するステップと、前記無線通信端末が、他の無線基地局にハンドオフするか否かを決定するステップと、前記無線通信端末が、前記他の無線基地局にハンドオフする場合、前記１つの無線基地局に、所定のキャリア数まで、前記キャリアを切断するように順次要求するステップと、前記無線通信端末が、前記他の無線基地局にハンドオフするステップを有することを要旨とする。
【００１２】
かかる特徴によれば、複数のキャリアを用いたマルチキャリアにおいて、無線通信端末が１つの無線基地局と接続することによって、複数の無線基地局とのハンドオフ制御を行う必要がないため、他の無線基地局にハンドオフする際の処理負荷を抑制することができる。また、かかる特徴によれば、無線通信端末がハンドオフする際に、複数のキャリアを順次切断することによって、複数のキャリアの同時切断や同時切断された複数のキャリアの同時設定による処理負荷を抑制することができる。
【００１３】
本発明の第１の特徴において、前記無線通信端末が、前記ハンドオフの際に、前記他の無線基地局に対して、前記通信に用いる前記キャリアを順次追加するステップを更に有しても良い。
【００１４】
かかる特徴によれば、無線通信端末がハンドオフする際に、ハンドオフ先の無線基地局に対して、通信に用いる複数のキャリアを順次追加することによって、複数のキャリアの同時設定による処理負荷を抑制することができる。
【００１５】
本発明の第２の特徴は、複数のキャリアを用いたマルチキャリアによって無線基地局と通信する無線通信端末であって、１つの無線基地局から前記複数のキャリアを受信する受信部と、他の無線基地局にハンドオフするか否かを決定するハンドオフ決定部と、前記他の無線基地局にハンドオフする場合、前記１つの無線基地局に、所定のキャリア数まで、前記キャリアを切断するように順次要求するキャリア切断要求部と、前記他の無線基地局にハンドオフするハンドオフ制御部とを具備することを要旨とする。
【００１６】
本発明の第２の特徴において、前記ハンドオフの際に、前記他の無線基地局に対して、前記通信に用いる前記キャリアを順次追加するキャリア設定部を更に具備してもよい。
【００１７】
本発明の第３の特徴は、複数のキャリアを用いたマルチキャリアによって無線通信端末と通信する無線基地局であって、前記無線通信端末から、該無線通信端末が他の無線基地局にハンドオフすることを示すハンドオフ通知を受信する受信部と、前記ハンドオフ通知を受信した場合、所定のキャリア数まで前記キャリアを順次切断するキャリア切断部とを具備することを要旨とする。
【発明の効果】
【００１８】
以上説明したように、本発明によれば、マルチキャリアによる移動体通信システムにおいて、ハンドオフ時の処理負荷を抑制する通信制御方法、無線通信端末及び無線基地局を提供することができる。
【発明を実施するための最良の形態】
【００１９】
（本発明の一実施形態に係る移動体通信システム）
（本発明の一実施形態に係る移動体通信システムの全体概略構成）
図１は、本発明の一実施形態に係る移動体通信システムの全体概略構成図である。
【００２０】
移移動体通信システム１０は、複数のキャリアを用いるマルチキャリアによって、高速なパケット通信（nxEV-DO）を提供する。
【００２１】
移動体通信システム１０は、移動端末１００（無線通信端末）と、複数の基地局２００＃１〜２００＃ｎ（無線基地局）と、基地局制御装置３００と、中継局４００と、ネットワーク５００とによって構成されている。なお、移動体通信システム１０に含まれる無線通信端末及び基地局及びキャリアの数量は、図１に示す数量に限定されるものではない。また、移動端末１００は、携帯電話や、無線モジュールや、カード端末等であってもよい。
【００２２】
また、移動体通信システム１０では、移動端末１００は、いずれか１つの基地局２００のみと接続し、複数のキャリア（許容される最大数のキャリア）を用いて、パケット通信を行う。
【００２３】
具体的には、移動体通信システム１０では、図２に示すように、パケットは送受信される。図２は、移動体通信システム１０におけるパケットの流れを示す図である。
【００２４】
図２に示すように、移動体通信システム１０では、下り方向においてネットワーク５００からの下りパケットは、中継局４００及び基地局制御装置３００を介して、１つの基地局２００＃１からキャリア１ｘ〜１５ｘを用いて送信される。一方、上り方向において移動端末１００からの上りパケットは、キャリア１ｘ〜１５ｘを用いて、基地局２００＃１及び基地局制御装置３００及び中継局４００を介して、ネットワーク５００に送信される。なお、ここでは、１５キャリア（キャリア１ｘ〜１５ｘ）を用いてパケットが送受信される例について示すが、キャリア数はかかる数に限定されるものではない。また、上りのキャリア数と下りのキャリア数とが異なってもよい。
【００２５】
このように、移動体通信システム１０では、移動端末１００が１つの基地局２００＃１と接続してパケット通信を行うため、下りパケットを複数の基地局２００＃１〜＃ｎに分散させて割り当てる、上り方向において複数の基地局２００＃１〜＃ｎからの上りパケットを結合する等、複数の基地局２００＃１〜＃ｎに対するパケット制御を行う必要がなく、パケット制御装置等の設備投資が不要となる。
【００２６】
（本発明の一実施形態に係る移動端末（無線通信端末）の機能ブロック構成）
図３を参照し、移動体通信システム１０を構成する移動端末１００（無線通信端末）の機能ブロック構成について説明する。
【００２７】
なお、以下、本発明との関連がある部分について主に説明する。したがって、移動端末１００は、当該装置としての機能を実現する上で必須な、図示しない或いは説明を省略した機能ブロック（電源部など）を備える場合があることに留意されたい。
【００２８】
図３に示すように、移動端末１００は、送受信部１１０と、ハンドオフイベント検知部１２０と、キャリア制御部１３０と、ハンドオフ制御部１４０とを備える。
【００２９】
送受信部１１０は、複数のキャリアに割り当てられた上りパケットを、当該複数のキャリアを用いて１つの基地局２００＃１に送信する。
【００３０】
また、送受信部１１０は、１つの基地局２００＃１から複数のキャリアによってそれぞれ伝送された下りパケットを受信する。
【００３１】
また、送受信部１１０は、後述するように、ハンドオフイベント検知部１２０によってハンドオフイベントが検知された場合、通信中の基地局２００＃１に対して、他の無線基地局にハンドオフすることを示すハンドオフ通知を送信してもよい。
【００３２】
ハンドオフイベント検知部１２０は、送受信部１１０によって受信された各キャリアの受信状態に基づいて、ハンドオフすることを決定する。
【００３３】
具体的には、ハンドオフイベント検知部１２０は、各キャリアのＲＳＳＩ（Received Signal Strength Indicator）を測定する。通信中の基地局２００＃１からの各キャリアのＲＳＳＩが閾値以下である場合、ハンドオフイベント検知部１２０は、他の基地局にハンドオフすることを決定する。なお、ハンドオフイベント検知部１２０は、ハンドオフ先の基地局を、最も通信状態の良い基地局に決定してもよい。
【００３４】
キャリア制御部１３０は、ハンドオフイベント検知部１２０がハンドオフすることを決定した場合、通信中の基地局２００＃１に対して、所定のキャリア数まで、キャリアを切断するように順次要求する。
【００３５】
また、キャリア制御部１３０は、通信中の基地局２００＃１とのキャリアが所定のキャリア数まで順次切断された場合、残りのキャリアを同時に切断してもよい。
【００３６】
また、キャリア制御部１３０は、ハンドオフ先の基地局２００＃ｎに対して、通信に用いるキャリアを順次追加してもよい。
【００３７】
ハンドオフ制御部１４０は、キャリア制御部１３０によって、通信中の基地局２００＃１とのキャリアが全て切断された場合、他の基地局に対してハンドオフする。
【００３８】
（本発明の一実施形態に係る移動体通信システムの動作）
次に、図４乃至図７を参照し、上述した移動体通信システム１０の動作について説明する。具体的には、移動端末１００が、１つの基地局２００＃１と接続する動作（１）と、基地局２００＃１と通信中の移動端末１００が他の基地局２００＃ｎにハンドオフする動作（２）と、基地局２００＃１と通信中の移動端末１００が他の基地局２００＃２にハンドオフし、更に他の基地局２００＃ｎにハンドオフする動作（３）と、基地局２００＃１と通信中の移動端末１００が他の基地局２００＃ｎにハンドオフする動作（４）とについて説明する。
【００３９】
（１） キャリア設定シーケンス
図４は、移動端末１００が１つの基地局２００＃１と複数のキャリアを設定する際のシーケンス図である。
【００４０】
図４に示すように、ステップＳ１０１において、移動端末１００は、基地局２００＃１とのキャリア設定を要求するConnection Reqメッセージを送信する。
【００４１】
ステップＳ１０２において、基地局２００＃１は、トラフィックチャネル（T-CH）を割り当てるT-CH Assignmentメッセージを移動端末１００に送信する。
【００４２】
ステップＳ１０３において、移動端末１００の端末認証／ユーザ認証等が行われる。
【００４３】
ステップＳ１０４において、基地局２００＃１及び移動端末１００は、通信設定を実行し、設定されたキャリア１ｘを用いて、パケット通信を開始する。
【００４４】
ステップＳ１０５〜ステップＳ１０７において、移動端末１００は、上述のキャリア１ｘ設定ステップと同様に、基地局２００＃１とキャリア２ｘを設定する。
【００４５】
ステップＳ１０８〜ステップＳ１１０において、移動端末１００は、上述のキャリア２ｘ設定ステップと同様に、移動端末１００の許容する最大キャリア数（例えば、１５キャリア）まで基地局２００＃１とキャリア３ｘ〜１５ｘを設定する。
【００４６】
（２） ハンドオフシーケンス（パターン１）
図５は、基地局２００＃１と通信中の移動端末１００が他の基地局２００＃ｎにハンドオフする際のシーケンス図である。
【００４７】
図５に示すように、ステップＳ２０１において、移動端末１００は、基地局２００＃１と接続し、キャリア１ｘ〜１５ｘを用いて、パケット通信を行っている。
【００４８】
ステップＳ２０２において、移動端末１００は、ハンドオフイベントが発生したことを検知する。
【００４９】
具体的には、通信中の基地局２００＃１からの各キャリアのＲＳＳＩが閾値以下である場合、他の基地局（ここでは、基地局２００＃ｎ）にハンドオフすることを決定する。なお、移動端末１００は、ハンドオフ先の基地局を、最も通信状態の良い基地局２００に決定する。
【００５０】
ステップＳ２０３において、移動端末１００は、基地局２００＃１に対して、キャリアを切断することを要求するConnection Closeメッセージを送信する。Connection Closeメッセージを受信した基地局２００＃１は、キャリア（例えば、キャリア１５ｘ）を切断する。
【００５１】
ステップＳ２０４において、移動端末１００は、基地局２００＃１と残りのキャリア１ｘ〜１４ｘを用いて、パケット通信を行っている。
【００５２】
ステップＳ２０５において、移動端末１００は、キャリア１５ｘの切断ステップと同様に、基地局２００＃１に対して、残りのキャリア１ｘ〜１４ｘを所定のキャリア数（ここでは、１キャリア）まで順次切断させる。
【００５３】
ステップＳ２０６〜Ｓ２０７において、移動端末１００は、上述のキャリア切断ステップ（ステップＳ２０３）と同様に、基地局２００＃１に対して、Connection Closeメッセージを送信し、キャリア１ｘを切断させる。
【００５４】
ここで、移動端末１００と基地局２００＃１との間に設定されているキャリア１ｘ〜１５ｘが全て切断されたため、移動端末１００は、ステップＳ２０２において決定した他の基地局２００＃ｎにハンドオフする。
【００５５】
ステップＳ２０８において、移動端末１００は、基地局２００＃ｎとのキャリア設定を要求するConnection Reqメッセージを送信する。
【００５６】
ステップＳ２０９において、基地局２００＃ｎは、トラフィックチャネル（T-CH）を割り当てるT-CH Assignmentメッセージを移動端末１００に送信する。
【００５７】
ステップＳ２１０において、基地局２００＃ｎ及び移動端末１００は、通信設定を実行し、基地局２００＃ｎとの間に設定されたキャリア１ｘを用いて、パケット通信を開始する。
【００５８】
ステップＳ２１１〜ステップＳ２１６において、移動端末１００は、上述のキャリア設定ステップ（ステップＳ２０８〜Ｓ２１０）と同様に、移動端末１００の許容する最大キャリア数（例えば、１５キャリア）まで基地局２００＃１に対するキャリアを設定する。そして、移動端末１００は、設定されたキャリア１ｘ〜１５ｘを用いてパケット通信を行う。
【００５９】
（３） ハンドオフシーケンス（パターン２）
図６は、基地局２００＃１と通信中の移動端末１００が他の基地局２００＃２にハンドオフし、更に他の基地局２００＃ｎにハンドオフする際のシーケンス図である。
【００６０】
図６に示すように、ステップＳ３０１において、移動端末１００は、基地局２００＃１と接続し、キャリア１ｘ〜１５ｘを用いて、パケット通信を行っている。
【００６１】
ステップＳ３０２において、移動端末１００は、ハンドオフイベント（通信中の基地局２００＃１からの各キャリアのＲＳＳＩが閾値以下）が発生したことを検知する。そして、移動端末１００は、他の基地局（ここでは、基地局２００＃２）にハンドオフすることを決定する。
【００６２】
ステップＳ３０３〜Ｓ３０７において、上述のキャリア切断ステップ（図５のステップＳ２０３〜Ｓ２０７）と同様に、移動端末１００は、基地局２００＃１に対して、キャリア１ｘ〜１５ｘを所定のキャリア数（ここでは、１キャリア）まで順次切断させる。
【００６３】
移動端末１００と基地局２００＃１との間に設定されていたキャリア１ｘ〜１５ｘが全て切断されると、移動端末１００は、ステップＳ３０２において決定した他の基地局２００＃２にハンドオフする。
【００６４】
ステップＳ３０９〜Ｓ３１３において、上述のキャリア設定ステップ（図５のステップＳ２０８〜Ｓ２１３）と同様に、移動端末１００は、ハンドオフ先の基地局２００＃２との間でキャリア１ｘ〜２ｘを設定する。そして、移動端末１００は、基地局２００＃１との間に設定されているキャリア１ｘ〜２ｘを用いて、パケット通信を行う。
【００６５】
ステップＳ３１４において、移動端末１００は、再度ハンドオフイベント（通信中の基地局２００＃２からの各キャリアのＲＳＳＩが閾値以下）が発生したことを検知する。そして、移動端末１００は、他の基地局（ここでは、基地局２００＃ｎ）にハンドオフすることを決定する。
【００６６】
ステップＳ３１５〜Ｓ３１７において、上述のキャリア切断ステップと同様に、移動端末１００は、基地局２００＃２に対して、キャリア１ｘ〜２ｘを所定のキャリア数（ここでは、１キャリア）まで順次切断させる。
【００６７】
移動端末１００と基地局２００＃２との間に設定されていたキャリア１ｘ〜２ｘが全て切断されると、移動端末１００は、ステップＳ３１４において決定した他の基地局２００＃ｎにハンドオフする。
【００６８】
ステップＳ３１５〜Ｓ３２６において、移動端末１００は、上述のキャリア設定ステップ（図５のＳ２０８〜Ｓ２１６）と同様に、基地局２００＃ｎとの間にキャリア１ｘ〜１５ｘを順次設定し、設定されたキャリア１ｘ〜１５ｘを用いてパケット通信を行う。
【００６９】
（４） ハンドオフシーケンス（パターン３）
図７は、基地局２００＃１と通信中の移動端末１００が他の基地局２００＃ｎにハンドオフする際のシーケンス図である。かかるハンドオフシーケンスでは、移動端末１００は、スループットの低下を防ぐために、所定のキャリア数まではキャリアを順次切断し、残りのキャリアを同時に切断する。また、移動端末１００は、ハンドオフ後、ハンドオフ先との所定のキャリア数のキャリア設定を同時に行う点で、（１）ハンドオフシーケンス（パターン１）と異なる。
【００７０】
図７に示すように、ステップＳ４０１において、移動端末１００は、基地局２００＃１と接続し、キャリア１ｘ〜１５ｘを用いて、パケット通信を行っている。
【００７１】
ステップＳ４０２において、移動端末１００は、ハンドオフイベント（通信中の基地局２００＃１からの各キャリアのＲＳＳＩが閾値以下）が発生したことを検知する。そして、移動端末１００は、他の基地局（ここでは、基地局２００＃ｎ）にハンドオフすることを決定する。
【００７２】
ステップＳ４０３〜Ｓ４０６において、上述のキャリア切断ステップと同様に、移動端末１００は、基地局２００＃１に対して、キャリア１ｘ〜１５ｘを所定のキャリア数（ここでは、３キャリア）まで順次切断させる。
【００７３】
ステップＳ４０７において、移動端末１００は、基地局２００＃１に対して、所定のキャリア数（３キャリア）のキャリア１ｘ〜３ｘのConnection Closeメッセージを送信し、キャリア１ｘ〜３ｘを同時に切断させる。
【００７４】
ここで、移動端末１００と基地局２００＃１との間に設定されていたキャリア１ｘ〜１５ｘが全て切断されたため、移動端末１００は、ステップＳ４０２において決定した他の基地局２００＃ｎにハンドオフする。
【００７５】
ステップＳ４０８において、移動端末１００は、ハンドオフ先の基地局２００＃ｎに対して、キャリア１ｘ〜３ｘの設定を要求するConnectionReqメッセージを送信する。
【００７６】
ステップＳ４０９において、基地局２００＃ｎは、それぞれトラフィックチャネル（T-CH）を割り当てるT-CH Assignmentメッセージを移動端末１００に送信する。
【００７７】
ステップＳ４１０において、基地局２００＃ｎ及び移動端末１００は、通信設定を実行し、同時に設定されたキャリア１ｘ〜３ｘを用いて、パケット通信を開始する。
【００７８】
ステップＳ４１１〜ステップＳ４１３において、移動端末１００は、移動端末１００の許容する最大キャリア数（例えば、１５キャリア）まで基地局２００＃１とキャリアを順次設定する。そして、移動端末１００は、設定されたキャリア１ｘ〜１５ｘを用いてパケット通信を行う。
【００７９】
（変更例）
次に、図８乃至図９を参照し、上述した移動体通信システム１０の動作の変更例について説明する。本変更例に係るハンドオフシーケンスでは、移動端末１００が各キャリアの切断を順次要求するのではなく、基地局２００主導で行う点で、上述のハンドオフシーケンス（パターン１〜３）と異なる。なお、本変更例では、上述の移動体通信システム１０との相違点を主として説明する。
【００８０】
まず、図８を参照し、本変更例に係る基地局２００（無線基地局）の機能ブロックについて説明する。なお、本変更例に係る基地局２００＃１〜２００＃ｎは、全て同様の機能ブロック構成を有する。
【００８１】
また、以下、本変更例との関連がある部分について主に説明する。したがって、基地局２００は、当該装置としての機能を実現する上で必須な、図示しない或いは説明を省略した機能ブロック（電源部など）を備える場合があることに留意されたい。
【００８２】
図８に示すように、基地局２００は、送受信部２１０と、キャリア制御部２２０とを具備する。
【００８３】
送受信部２１０は、移動端末１００が他の基地局２００にハンドオフすることを示すハンドオフ通知を受信する。
【００８４】
キャリア制御部２２０は、送受信部２１０が移動端末１００からハンドオフ通知を受信した場合、移動端末１００と設定しているキャリアを所定のキャリア数まで順次切断する。なお、キャリア制御部２２０は、所定のキャリア数まではキャリアを順次切断し、残りのキャリアを同時に切断してもよい。
【００８５】
次に、図９を参照し、移動端末１００が各キャリアの切断を順次要求するのではなく、基地局２００主導で行うハンドオフシーケンスについて説明する。
【００８６】
図９は、基地局２００＃１と通信中の移動端末１００が他の基地局２００＃ｎにハンドオフする際のシーケンス図である。
【００８７】
図９に示すように、ステップＳ５０１において、移動端末１００は、基地局２００＃１と接続し、キャリア１ｘ〜１５ｘを用いて、パケット通信を行っている。
【００８８】
ステップＳ５０２において、移動端末１００は、ハンドオフイベント（通信中の基地局２００＃１からの各キャリアのＲＳＳＩが閾値以下）が発生したことを検知する。そして、移動端末１００は、他の基地局（ここでは、基地局２００＃ｎ）にハンドオフすることを決定する。
【００８９】
ステップＳ５０３において、移動端末１００は、基地局２００＃１に対して、他の基地局にハンドオフする旨を通知する（ハンドオフ通知）。
【００９０】
ステップＳ５０４において、移動端末１００からハンドオフ通知を受信した基地局２００＃１は、移動端末１００と設定しているキャリア１ｘ〜１５ｘキャリアのうち、１キャリアを切断する。
【００９１】
ステップＳ５０５〜Ｓ５０８において、基地局２００＃１は、ステップＳ５０４と同様に、移動端末１００と設定しているキャリアを所定のキャリア数（ここでは、１キャリア）まで順次切断する。
【００９２】
移動端末１００と基地局２００＃２との間に設定されていたキャリアが全て切断されると、移動端末１００は、ステップＳ５０２において決定した他の基地局２００＃ｎにハンドオフする。
【００９３】
ステップＳ５０９〜Ｓ５１７において、移動端末１００は、基地局２００＃ｎとの間にキャリアを順次設定し、設定されたキャリア１ｘ〜１５ｘを用いてパケット通信を行う。
【００９４】
なお、本変更例に係るハンドオフシーケンスにおいても、上述のハンドオフシーケンス（パターン３）のように、基地局２００が、所定のキャリア数（例えば、３キャリア）まではキャリアを順次切断し、残りのキャリアを同時に切断してもよく、移動端末１００が、ハンドオフ後、ハンドオフ先との所定のキャリア数のキャリア設定を同時に行ってもよい。
【００９５】
（本発明の一実施形態に係る移動体通信システムの作用・効果）
本発明の一実施形態に係る移動体通信システムによれば、複数のキャリアを用いたマルチキャリアにおいて、移動端末１００が１つの基地局２００と接続することによって、複数の基地局２００とのハンドオフ制御を行う必要がないため、他の基地局２００にハンドオフする際の処理負荷を抑制することができる。また、移動端末１００がハンドオフする際に、複数のキャリアを順次切断することによって、複数のキャリアの同時切断や同時切断された複数のキャリアの同時設定による処理負荷を抑制することができる。
【００９６】
本発明の一実施形態に係る移動体通信システムによれば、移動端末１００がハンドオフする際に、ハンドオフ先の基地局２００に対して、通信に用いる複数のキャリアを順次追加することによって、複数のキャリアの同時設定による処理負荷を抑制することができる。
【００９７】
本発明の一実施形態に係る移動体通信システムによれば、所定のキャリア数を同時に切断・設定することによって、ハンドオフ時のスループットの低下を抑制することもできる。
【００９８】
（その他の実施形態）
上述したように、本発明の一実施形態を通じて本発明の内容を開示したが、この開示の一部をなす論述及び図面は、本発明を限定するものであると理解すべきではない。この開示から当業者には様々な代替実施の形態が明らかとなろう。
【００９９】
例えば、上述したハンドオフイベント検知部１２０、キャリア制御部１３０及びハンドオフ制御部１４０の機能は、通信装置やコンピュータにおいて実行可能なプログラムとしても提供することができる。
【０１００】
このように、本発明は、ここでは記載していない様々な実施の形態などを含むことは勿論である。したがって、本発明の技術的範囲は、上述の説明から妥当な特許請求の範囲に係る発明特定事項によってのみ定められるものである。
【図面の簡単な説明】
【０１０１】
【図１】本発明の実施形態に係る移動体通信システムの全体概略図である。
【図２】本発明の実施形態に係る移動体通信システムにおけるパケットの流れを示す図である。
【図３】本発明の実施形態に係る無線通信端末の機能ブロック図である。
【図４】本発明の実施形態に係る移動体通信システムにおけるキャリア接続シーケンスである。
【図５】本発明の実施形態に係る通信システムにおけるハンドオフシーケンス（パターン１）である。
【図６】本発明の実施形態に係る通信システムにおけるハンドオフシーケンス（パターン２）である。
【図７】本発明の実施形態に係る通信システムにおけるハンドオフシーケンス（パターン３）である。
【図８】本発明の変更例に係る基地局の機能ブロック図である。
【図９】本発明の変更例に係る通信システムにおけるハンドオフシーケンスである。
【図１０】従来の移動体通信システムの全体概略図である。
【図１１】従来の移動体通信システムにおけるパケットの流れを示す図である。
【符号の説明】
【０１０２】
１００…移動端末
１１０…送受信部
１２０…ハンドオフイベント検知部
１３０…キャリア制御部
１４０…ハンドオフ制御部
２００…基地局
２１０…送受信部
２２０…キャリア制御部
３００…基地局制御装置
４００…中継局
５００…ネットワーク
６００…パケット制御装置
【図１】
0004832075.tif 000002
【図２】
0004832075.tif 000003
【図３】
0004832075.tif 000004
【図４】
0004832075.tif 000005
【図５】
0004832075.tif 000006
【図６】
0004832075.tif 000007
【図７】
0004832075.tif 000008
【図８】
0004832075.tif 000009
【図９】
0004832075.tif 000010
【図１０】
0004832075.tif 000011
【図１１】
0004832075.tif 000012